(57)【要約】  携帯電話からインターネットプロトコルネットワーク上のアドレスを有する装置へとSMSおよびMMSメッセージを送達する方法及びシステムが提供される。本発明の実施形態において、ＩＰアドレス及びメディアアクセスコントロール（ＭＡＣ）アドレスを有する装置がネットワークルータ上で登録され、電話番号が、ルータ上の登録された装置に関連付けられ、これにより、装置に関連付けられた電話番号のためのSMS又はMMSメッセージをルータが受信すると、ルータは、装置のIPアドレスを検索し、メッセージを装置へとルーティングする。【選択図】  図４
2011530875.tif 000002
【特許請求の範囲】
【請求項１】
少なくとも１の携帯電話と、ＩＰアドレス及びメディアアクセスコントロール（ＭＡＣ）アドレスを有する少なくとも１の装置との間の通信をルーティングする方法であって、
前記方法は、
少なくとも１の装置を、ネットワークルータ上で登録する工程と、電話番号を前記少なくとも１のルータ上の登録された装置に割り当てる工程と、
電話番号に対して向けられたメッセージをネットワークルータで受信する工程と、前記装置の前記ＩＰアドレス及び前記ＭＡＣアドレスを、選択基準として電話番号を用いて検索する工程と、
前記メッセージを前記装置の前記ＩＰアドレス及び前記ＭＡＣアドレスにルーティングする工程を備え、該工程により、前記メッセージを、少なくとも１の携帯電話から前記ＩＰアドレス及び前記ＭＡＣアドレスを有する少なくとも１の装置へと送達することを特徴とする、方法。
【請求項２】
前記メッセージは、少なくとも１のマルチメディアメッセージサービス（MMS）メッセージと、ショートメッセージサービス（ＳＭＳ）メッセージと、ＸＭＰＰプロトコル又はＳＩＭＰＬＥプロトコルを用いて送信されるインスタントメッセージングフォーマットのメッセージを備え、
前記メッセージの種類は、音声、画像及びビデオからなる群から選択される少なくとも１であることを特徴とする、請求項１記載の方法。
【請求項３】
前記メッセージを、テレビ、コードレスＤＥＣＴ電話、ビデオゲームコンソール及びパーソナルコンピュータの少なくとも１へと送達する工程をさらに備え、
前記メッセージは任意で複数の装置へと送達されることを特徴とする、請求項１記載の方法。
【請求項４】
前記携帯電話は、免許不要モバイルアクセス（ＵＭＡ）の利用可能な電話、免許不要モバイルアクセス（ＵＭＡ）の利用可能な個人データ補助装置（ＰＤＡ）及び拡張コードレス電話（ＤＥＣＴ）ベースの電話又は装置の少なくとも１を備えることを特徴とする、請求項１記載の方法。
【請求項５】
複数のメッセージのフォーマットを複数の装置から及びへと送信及び受信するとともにインスタントメッセージングセッションにおける送信された又は受信されたメッセージを表示することにより、前記メッセージを送達及び受信する工程と、インスタントメッセージングセッションにおいて前記メッセージを表示する工程をさらに備え、少なくとも１の参加者が携帯電話装置により通信し、少なくとも１の参加者がインターネット装置により通信することを特徴とする、請求項１記載の方法。
【請求項６】
統合メッセージングサーバによりメッセージを送達及び受信する工程を更に備え、前記統合メッセージングサーバは、前記メッセージを複数の装置及び複数の種類の装置へ及びから送信及び受信し、前記メッセージフォーマットをＳＭＳ、ＭＭＳ、インスタントメッセージ、インスタントメッセージのための一般的プロファイル（CPIM）、APEX、インスタントメッセージングエクスチェンジプロトコル、プレゼンスとインスタントメッセージングプロトコル、ボイスオーバーインターネットプロトコル、XMPP及びインスタントメッセージング及びプレゼンスレバレージングエクステンションのためのSIP（SIMPLE）からなる群から選択された少なくとも１のフォーマットから及びへと、変換することを特徴とする、請求項１記載の方法。
【請求項７】
携帯電話からのメッセージを、インターネットプロトコル（ＩＰ）及びメディアアクセスコントロール（ＭＡＣ）アドレスを有する少なくとも１の装置へと送達するシステムであって、前記システムは、
電話番号を、少なくとも１の装置のＭＡＣアドレス及びＩＰアドレスに登録及び割り当てるためのテーブルを備えるネットワークルータと、
前記ルータから前記メッセージを前記装置へと移送するための、無線ネットワーク、ケーブルネットワーク、ＤＳＬネットワーク、電話会社のネットワーク、ＤＳＬネットワーク及び無線ネットワークの組合せ、電話会社ネットワークと無線ネットワークとの組合せ、及びケーブルネットワークと無線ネットワークとの組合せからなる群から選択される少なくとも１のローカルエリアネットワークと、
前記ローカルエリアネットワークと前記インターネットを接続するためのインターネット接続を備え、
前記システムは、前記メッセージを、前記少なくとも１の携帯電話から、前記電話番号に関連付けられたＩＰアドレス及びＭＡＣアドレスを有する少なくとも１の装置へと送達することを特徴とする、システム。
【請求項８】
前記装置はルータであり、前記メッセージは前記ルータに接続された装置へと送達されることを特徴とする、請求項７記載のシステム。
【請求項９】
前記メッセージは、ＸＭＰＰプロトコル又はＳＩＭＰＬＥプロトコルを用いて送信されるマルチメディアメッセージサービス（ＭＭＳ）メッセージ、ショートメッセージサービス（ＳＭＳ）メッセージ及びインスタントメッセージングフォーマットのメッセージからなる群から選択され、前記メッセージの種類は、音声メッセージ、画像メッセージ及びビデオメッセージの少なくとも１を備えることを特徴とする、請求項７記載のシステム。
【請求項１０】
前記携帯電話は、少なくとも１の免許不要モバイルアクセス（ＵＭＡ）の利用可能な電話、ＤＥＣＴ電話及び免許不要モバイルアクセス（ＵＭＡ）の利用可能な個人データ補助装置（ＰＤＡ）の少なくとも１を備えることを特徴とする、請求項７記載のシステム。
【請求項１１】
前記メッセージを受信する複数の電話番号にアクセスされる、少なくとも１のソーシャルネットワーキングプロファイルをさらに備えることを特徴とする、請求項７記載のシステム。
【請求項１２】
前記メッセージは、ＳＭＳメッセージ及びＭＭＳメッセージの少なくとも１を備え、前記システムは前記メッセージを複数の装置へと送達することを更に備えることを特徴とする、請求項７記載のシステム。
【請求項１３】
前記メッセージを送達及び受信するための複数の装置をさらに備え、前記システムは、インスタントメッセージングセッションにおいて異なるパーティからのメッセージの表示を実行するためのモジュールをさらに備え、前記システムは、複数のメッセージフォーマットを、前記複数の装置へ及びから、送信及び受信し、前記インスタントメッセージングセッションにおいて各送信又は受信されたメッセージを表示することを特徴とする、請求項１２記載のシステム。
【請求項１４】
統合メッセージングサーバをさらに備え、前記統合メッセージングサーバは、前記メッセージを送達及び受信するとともに、前記メッセージを、複数の種類の装置及び複数の装置へ及びから、送信及び受信するための論理回路と、前記メッセージを、ＳＭＳ、ＭＭＳ、インスタントメッセージ、インスタントメッセージングの一般的プロファイル（ＣＰＩＭ）、ＡＰＥＸ、インスタントメッセージングエクスチェンジプロトコル、プレゼンスとインスタントメッセージングプロトコル、ボイスオーバーインターネットプロトコル、XMPP及びインスタントメッセージング及びプレゼンスレバレージングエクステンションのためのSIP（SIMPLE）からなる群から選択された少なくとも１のフォーマットから及びへと、変換するための論理回路を有することを特徴とする、請求項７記載のシステム。
【請求項１５】
前記ネットワークルータは、ＳＭＳルータ、ＭＭＳルータ及びネットワークアドレス変換（ＮＡＴ）の有線又は無線ルータの少なくとも１を任意で備え、ＩＰアドレスは、任意で動的又は静的に割り当てられ、前記メッセージを受信する装置は、任意でテレビを備えることを特徴とする、請求項１記載の方法又は請求項７記載のシステム。
【発明の詳細な説明】
【技術分野】
【０００１】
関連出願
本出願は、2008年8月5日出願の「Apparatus and methods for TV social applications」というタイトルが付された米国仮特許出願第61/137,918号、2009年3月30日出願の「SMS Technology for computerized Devices」というタイトルが付された米国仮特許出願第61/164,705号、米国実用特許出願第12/534,939号、2009年8月4日出願の「Apparatus and methods for TV social applications」というタイトルが付されたPCT国際出願PCT/US09/52646及び、2009年8月4日出願の「SMS Technology for Computerized Devices」というタイトルが付された米国実用特許出願第12/535,323号の優先権を主張し、これら全体の内容は、本明細書に組み込まれる。
【０００２】
（分野）
本出願は、インターネットプロトコル（IP）ネットワーク上で、携帯電話から非電話装置へとメッセージを送達する方法及びそのシステムに関する。
【背景技術】
【０００３】
テキストメッセージングは、携帯電話産業の商業的成功である。携帯電話の顧客は、携帯電話会社と契約を交わし、携帯電話でテキストメッセージの送受信を行う。テキストメッセージの一般的な通信プロトコルは、ショートメッセージサービス（SMS）及びマルチメディアサービス（MMS）である。SMS標準は、１９８５年の連続的なGSM標準の一部として定義され、これにより、ユーザは１６０文字までのメッセージを、GSM携帯電話機から及びへと送信可能である。SMSプロトコルは、他の携帯電話のプロトコルへと拡張され、現在では、全世界の数億の人々により使用されている。ピア主体間のSMSメッセージを交換する共通のプロトコルは、ショートメッセージピアトゥピア（SMPP）である。
【０００４】
テキストメッセージングにおいて、第１の携帯電話ユーザは、携帯電話のキーバッドでテキストメッセージを入力し、メッセージを受け取る第２携帯電話ユーザの電話番号を入力し、その後メッセージを送信する。第２ユーザの電話がテキストに対応している場合、第２ユーザは、携帯電話ディスプレイ上のメッセージを読み、そして、テキストメッセージを入力することで、返信することを選択し、第１ユーザに返信する。テキストメッセージは、「r u」を「are you」の省略した言葉としてしばしば入力され、テキストメッセージは、声をベースにした通話よりも優れていて、テキストメッセージを静かに読み返信することが可能であるとともに、テキストメッセージのペースは両方の参加者の環境に自然と順応するため受信者にとっては便利である。例えば、法廷にいる弁護士は、たとえ法廷にいる場合であっても、自身の携わる訴訟に関する重要な情報を有するテキストメッセージを受領することが可能であり、訴訟を継続して行い、その場で、あるいは訴訟の休憩時間の間に、さらなる質問をつけてテキストメッセージに応答することが可能である。テキストメッセージの送受信は、相対的に音がせず、メッセージの内容は、意図した受信者以外には即座に目で確認できず、テキストメッセージングは、個別的な通信方法であり、該方法は、幅広い範囲の状況において実用的であると人々が見出す。
【０００５】
MMSプロトコルは、SMSプロトコルの拡張であり、携帯電話ユーザは、テキストに加えて、マルチメディアデータを送信することが可能である。MMSプロトコルの一般的な使用は、１のカメラのついた電話機で撮影された写真を、もう１つ別の電話機へと送信するためのものである。
【０００６】
２００７年にまとまった免許不要モバイルアクセス（Unlicensed Mobile Access）(UMA)仕様により、携帯電話と無線IPネットワークとの組み合わせが可能となっている。UMAテクノロジーにより、ユーザはBluetooth及び802.11.を含む免許不要スペクトラム技術で、GSM及びGPRSモバイルサービスにアクセスすることが可能である。
【０００７】
図１は、商業的に利用可能であるUMA仕様のネットワーク、T−Mobile@Homeネットワークを示し、該ネットワークは、携帯電話（１０１）とT-Mobileのウェブサイト（１０２）を接続する。ウェブサイト（１０２）に接続する３つのルートは、インターネット（１０６）に接続されている無線ルータ（１０３）を経て、携帯電話と（１０２）との間に位置されているGSMセルラー接続（１０４）を経て、及びT-Mobileホットスポットルータ（１０７）を介したインターネット（１０６）及び（１０２）へのWiFi接続（１０５）を経て、携帯電話（１０１）で利用可能である。ハンドセット（１０１）は、各ルートの相対的な信号強度を基に、３つのルートから選択する。
【０００８】
図２で示すように、UMAの利用可能なデュアルモードのハンドセット（２０１）は、携帯無線アクセスネットワーク（RAN）（２０２）と免許不要モバイルアクセスネットワーク（UMAN）（２０３）の両方に接続し、（２０２）と（２０３）の両方は、コアモバイルネットワーク（２０４）に接続する。
【０００９】
UMAテクノロジーを配置することで、サービスプロバイダにより、加入者は、適切な装置を用いて、セルラーネットワークと公衆及びプライベート免許不要無線ネットワークとの間のデュアルモード携帯ハンドセットを用いた携帯電話通話をローミングするとともに、中継することが可能である。このような加入者は、加入者がネットワーク間を移行する際に、携帯音声及びデータサービスの一貫したユーザ経験を受ける。例えば、携帯電話が免許不要無線ネットワーク（２０８）、IPアクセスネットワーク（２０９）及びUMAネットワーク（UNC）（２１０）の範囲内にくると、図２に示すような住宅システムを有するユーザは、RAN（２０２）で処理される携帯電話通話をUMAN（２０３）へと自動的に移行させる。代替的に、ネットワークコントローラ（２１０）は、フェムトセルネットワークコントローラである。携帯電話が、UMAN（２０３）の有効な範囲を出ると、携帯電話の通話は、RAN（２０２）の基地局（２０５）、プライベートネットワーク（２０６）及び基地局コントローラ（BSC）（２０７）へと移行する。
【００１０】
AT&T Wirelessなどの携帯電話サービスプロバイダは、インターネットアクセスの有するコンピュータから電子メールにより送信されたSMSメッセージが受信される。
【００１１】
携帯電話ユーザがネイティブフォーム（即ち、電話番号を用いて）でアドレス指定されたSMS及びMMSのIP及びMACアドレスを有する個人用コンピュータなどの非電話装置への送信を可能とする、システム及び方法が必要とされている。
【発明の概要】
【課題を解決するための手段】
【００１２】
本発明の特徴は、少なくとも１の携帯電話と、ＩＰアドレス及びメディアアクセスコントロール（ＭＡＣ）アドレスを有する少なくとも１の装置との間の通信をルーティングする方法である。該方法は、サービスのための中央ルータ上の装置を登録する工程と少なくとも１の電話番号及びユーザの識別と、前記ルータ上の前記登録された装置を関連付ける工程と、ネットワークルータ上のメッセージを受信する工程と少なくとも１の電話番号とメッセージに関連付けられたユーザ識別を選択基準として用いて、装置のＩＰアドレス及びＭＡＣアドレスを検索する工程と、メッセージを装置のＩＰアドレス及びＭＡＣアドレスにルーティングする工程を備え、該工程により、メッセージを、少なくとも１の携帯電話からＩＰアドレス及びＭＡＣアドレスを有する少なくとも１の装置へと送達する。この方法での中央の登録において、ネットワークルータにより、完全な一揃えの携帯電話でのメッセージングの様相が、装置の携帯電話プロバイダとは独立して、携帯電話と任意の装置との間を方向付けることが可能である。
【００１３】
方法の実施形態において、メッセージは、少なくとも１のマルチメディアメッセージサービス（MMS）メッセージと、ショートメッセージサービス（ＳＭＳ）メッセージと、ＸＭＰＰプロトコル又はＳＩＭＰＬＥプロトコルを用いて送信されるインスタントメッセージングフォーマットのメッセージを備え、これにより、メッセージの種類は、音声、画像及びビデオからなる群から選択される少なくとも１である。
【００１４】
方法の実施形態は、メッセージを、テレビ、コードレスＤＥＣＴ電話、ビデオゲームコンソール、ポータブルビデオゲーム装置、モバイル個人デジタル補助装置、ＩＰの可能なメッセージング装置及びパーソナルコンピュータの少なくとも１に対して送達することを含み、これにより、メッセージは任意で複数の装置へと送達される。
【００１５】
方法の実施形態における携帯電話は、免許不要モバイルアクセス（ＵＭＡ）の利用可能な電話、免許不要モバイルアクセス（ＵＭＡ）の利用可能な個人データ補助装置（ＰＤＡ）、フェムトセルの利用可能な電話、フェムトセルの利用可能な個人データ補助装置（ＰＤＡ）及び拡張コードレス電話（ＤＥＣＴ）ベースの電話又は装置の少なくとも１を備える。
【００１６】
方法の実施形態は、複数のメッセージフォーマットのメッセージを複数の装置から及びへと送信及び受信するとともにインスタントメッセージングセッションにおける送信された又は受信されたメッセージを表示することにより、メッセージを送達及び受信する工程と、インスタントメッセージングセッションにおいてメッセージを表示する工程をさらに備え、これにより、少なくとも１の参加者が携帯電話装置により通信し、少なくとも１の参加者がインターネット装置により通信される。
【００１７】
更なる実施形態における方法は、統合メッセージングサーバによりメッセージを送達及び受信する工程をさらに備え、これにより、統合メッセージングサーバは、メッセージを複数の装置及び複数の種類の装置へ及びから送信及び受信し、メッセージフォーマットをＳＭＳ、ＭＭＳ、インスタントメッセージ、インスタントメッセージのための一般的プロファイル（CPIM）、APEX、インスタントメッセージングエクスチェンジプロトコル、プレゼンスとインスタントメッセージングプロトコル、ボイスオーバーインターネットプロトコル、XMPP及びインスタントメッセージング及びプレゼンスレバレージングエクステンションのためのSIP（SIMPLE）からなる群から選択された少なくとも１のフォーマットから又はへと、変換する。
【００１８】
本発明の特徴は、システムを提供し、該システムは、携帯電話からのメッセージを、インターネットプロトコル（ＩＰ）及びメディアアクセスコントロールアドレス（ＭＡＣ）を有する少なくとも１の装置へと送達するシステムであって、システムは、少なくとも１の電話番号とユーザの識別を、少なくとも１の装置のＭＡＣアドレス及びＩＰアドレスに登録及び関連付けるためのテーブルを備えるネットワークルータと、ルータからメッセージを装置へと移送するための、無線ネットワーク、ケーブルネットワーク、ＤＳＬネットワーク、電話会社のネットワーク、ＤＳＬネットワーク及び無線ネットワークの組合せ、電話会社ネットワークと無線ネットワークとの組合せ、及びケーブルネットワークと無線ネットワークとの組合せの群から選択される少なくとも１のローカルエリアネットワークと、ローカルエリアネットワークとインターネットを接続するためのインターネット接続を備え、これにより、システムは、メッセージを、少なくとも１の携帯電話から、少なくとも１の電話番号及びユーザ識別に関連付けられたＩＰアドレス及びＭＡＣアドレスを有する少なくとも１の装置へと送達する。
【００１９】
システムの実施形態において、装置はルータであり、メッセージはルータに接続された装置へと送達される。
【００２０】
システムの実施形態におけるメッセージは、ＸＭＰＰプロトコル又はＳＩＭＰＬＥプロトコルを用いて送信されるマルチメディアメッセージサービス（ＭＭＳ）メッセージ、ショートメッセージサービス（ＳＭＳ）メッセージ及びインスタントメッセージングフォーマットのメッセージからなる群から選択され、メッセージの種類は、音声メッセージ、画像メッセージ及びビデオメッセージの少なくとも１である。
【００２１】
システムの実施形態における携帯電話は、少なくとも１の免許不要モバイルアクセス（ＵＭＡ）の利用可能な電話、ＤＥＣＴ電話、フェムトセルの利用可能な電話、フェムトセルの利用可能な個人データ補助装置（ＰＤＡ）及び免許不要モバイルアクセス（ＵＭＡ）の利用可能な個人データ補助装置（ＰＤＡ）の少なくとも１を備える。
【００２２】
システムの実施形態は、メッセージが送達される複数の電話番号にアクセスされる、少なくとも１のソーシャルネットワーキングプロファイルを備える。
【００２３】
システムの実施形態において、メッセージは、ＳＭＳメッセージ及びＭＭＳメッセージの少なくとも１を備え、システムはメッセージを複数の装置へと送達することを更に備える。
【００２４】
システムの実施形態は、メッセージを送達及び受信するための複数の装置を備え、システムは、インスタントメッセージングセッションにおいて異なるパーティからのメッセージの表示を実行するためのモジュールをさらに備え、これにより、システムは、複数のメッセージフォーマットを、複数の装置へ及びから、送信及び受信し、インスタントメッセージングセッションにおいて各送信又は受信されたメッセージを表示する。
【００２５】
システムのさらなる実施形態は、統合メッセージングサーバを備え、統合メッセージングサーバは、メッセージを送達及び受信するとともに、メッセージを、複数の種類の装置及び複数の装置へ及びから、送信及び受信するための論理回路と、メッセージを、ＳＭＳ、ＭＭＳ、インスタントメッセージ、インスタントメッセージングの一般的プロファイル（ＣＰＩＭ）、ＡＰＥＸ、インスタントメッセージングエクスチェンジプロトコル、プレゼンスとインスタントメッセージングプロトコル、ボイスオーバーインターネットプロトコル、XMPP及びインスタントメッセージング及びプレゼンスレバレージングエクステンションのためのSIP（SIMPLE）の群から選択された少なくとも１のフォーマットから及びへと、変換するための論理回路を有する。
【００２６】
方法及びシステムのさまざまな実施形態において、ネットワークルータは、ＳＭＳルータ、ＭＭＳルータ及びネットワークアドレス変換（ＮＡＴ）の有線又は無線ルータの少なくとも１を任意で備え、ＩＰアドレスは、任意で動的又は静的に割り当てられ、これにより、メッセージを受信する装置は、任意でテレビを備える。
【図面の簡単な説明】
【００２７】
【図１】図１は従来技術の商業的に利用可能なT-Mobile@Homeネットワークを示し、該ネットワークは、携帯電話（１０１）とT-Mobileのウェブサイト（１０２）との間の代替可能な３つのネットワークバスを有する。無線ルータ（１０３）は、インターネット（１０６）に接続され、GSMセルラー接続（１０４）は、携帯電話及び（１０２）との間に位置され、（１０５）は、T-Mobileホットスポットルータ（１０７）を介したインターネット（１０６）への接続である。
【００２８】
図２はUMAの可能なデュアルモードハンドセット（２０１）、（２０１）の各モードのネットワーク、無線アクセスネットワーク（RAN）（２０２）及び免許不要モバイルアクセスネットワーク（UMAN）（２０３）を示す図である。（２０２）及び（２０３）の両方は、コアモバイルネットワーク（２０４）に接続する。RAN（２０２）は、基地局（２０５）、プライベートネットワーク（２０６）及びBSC（２０７）を含む。UMAN（２０３）は、免許不要無線ネットワーク（２０８）、IPアクセスネットワーク（２０９）及びUMAネットワークコントローラ（UNC）（２１０）を含む。
【００２９】
図３は、UMAの可能なデュアルモードハンドセット（２０１）と（２０１）の各モードにおけるネットワーク、RAN（２０２）、UMAN（２０３）、コアモバイルネットワーク（２０４）及びIP（３０４）を介してSMS／MMSを提供するSMS／MMSアグリゲーションレイヤ（３０１）、CID及びメッセージングのための端末（３０２）及び（３０３）を示す図である。
【００３０】
図４は、DECT電話に基づいた携帯電話（２０１）又はパーソナルコンピュータ（４０５）からのテキストメッセージを受信するためのシステム及び方法を示す図である。携帯電話（２０１）から送信されるメッセージは、セルラープロバイダネットワーク（２０４）を介して、SMS/MMSアグリゲータ（３０１）へとルーティングする。SMS／MMSアグリゲータ（３０１）は、メッセージを、i5SMSルータ（４０１）へとルーティングする。次に、i５SMSルータ（４０１）は、メッセージを統合サービスプラットホーム（CSP）インスタンス（４０２）へとルーティングする。最後にi5CSPインスタンス（４０２）は、メッセージをホームメディアサーバ（２０８）へとルーティングし、DECT電話（４０４）又はパーソナルコンピュータ（４０５）に表示するために、ホームIPネットワーク（４０３）を介してルーティングする。
【００３１】
図５は、メニューオプション（５０１）、メッセージを表示する中央ウィンドウ（５０２）、チャット参加者のリストウィンドウ（５０３）、「Invite（招待）」ボタン（５０４）、「Exit（出口）」ボタン（５０５）及び（５０２）にリストされているテキストメッセージ（５０６）を備えたシステムの実施形態のメッセージングセッションスクリーンを示す図である。
【００３２】
図６はユーザのチャットフレンドをリストするウィンドウ（６０１）、メッセージ（６０３）を有する２つの分離したチャットセッションのための２つの隣接するウィンドウ（６０２）、新しいメッセージ（６０４）を入力するためのウィンドウ及び（６０４）にタイプされたメッセージを送信するための「送信」ボタン（６０５）を備えた、メッセージングセッションスクリーンの代替的な実施形態を示す。
【発明を実施するための形態】
【００３３】
テキストメッセージングは、普及した一般的な携帯電話技術の使用である。１の携帯電話からもう１つ別の携帯電話へとデジタル写真を送信するといったMMSメッセージングは、同様である。携帯電話で受信された写真をコンピュータ上に置くことを希望するユーザは、電話をUSBポート又は他の手段を介してコンピュータに接続し、コンピュータに写真をダウンロードする手順に従わなければならない。このことは時間を要し、不便な工程である。
【００３４】
本明細書に提供されるシステム及び方法の実施形態は、ユーザがデジタル写真などのMMSメッセージを携帯電話（２０１）からコンピュータ又はIPネットワーク上の他の装置に送信する方法及びシステムである。本明細書に記載されるシステムの実施形態は、図４に示すように中央ルータ(４０１)を備え、該ルータは、図３及び図４に示すように、中継のSMS/MMSアグリゲーション（３０１）からの通話に応答し、該SMS/MMSアグリゲーション（３０１）は、携帯電話通信業者と相互接続するとともに、電話番号又はショートコードに基づいて、適切な場所に通話をルーティングする。
【００３５】
システム及び方法の様々な実施形態において、ユーザは、方法及びシステムを利用するサービスにサインアップし、ソフトウェア又はウェブベースのアプリケーションをインストールする。これにより、ユーザが、サービスのための中央ルータ（４０１）にコンタクトするプロビジョニングプロセスを行うことを介して、ユーザのネットワークアドレス変換（NAT）ルータ上の、ユーザがサービスとして利用可能であることを希望する装置に電話番号が割り当てられる。本発明の本態様に従って、「仮想の」又は「装置」の電話番号がユーザのNAT上の装置に関連付けられ、サービスのための中央ルータ（４０１）は、その後、仮想の又は装置の電話番号へと向けられるあらゆるモバイルメッセージの送達を媒介する。プロビジョニングプロセスは、サービスのための中央ルータ（４０１）上のテーブルに、レコードを挿入する、又はレコードを更新する。レコードは、プロビジョニングプロセスにより割り当てられた電話番号を備えるフィールド、装置のIPアドレス及び装置のMACアドレスを備える。プロビジョニングプロセスはさらに、SMS／MMSアグリゲータで電話番号を登録し、これにより、電話番号に対するメッセージは、直接的にサービスのための中央ルータ（４０１）へと向けられる。その後、ユーザは、仮想の電話番号を、携帯電話（２０１）を有する他者に提供することで、他者はSMS／MMSメッセージを装置へと送信することが可能である。代替的に、又は追加的に、ユーザは、装置の番号を、フェースブックのようなソーシャルネットワーキングアプリケーションに関連付けられたコンタクトリストに加え、他者が、ユーザの許可により確認し、メッセージ送信のために情報を使用することが可能である。
【００３６】
本明細書に提供されるシステム及び方法の更なる実施形態において、システムルータ（４０１）により割り当てられる電話番号に関連付けられたIPアドレスは、NATルータにより用いられる仮想のIPアドレスであり、電話番号に関連付けられた装置の物理的アドレスを示す。例えば、NATルータは、電話番号に関連付けられたIPアドレスのためのメッセージを受信する。その後、NATルータは、IPアドレスに関連付けられた装置にNATルータが割り当てた第２IPアドレスのために、テーブルに問い合わせを行う。NATルータは、その後、メッセージを第２IPアドレスの装置にルーティングする。
【００３７】
代替的な実施形態において、ユーザは、方法及びシステムを利用するサービスのためにサインアップし、ソフトウェア又はウェブベースのアプリケーションにインストールする。これにより、ユーザが、サービスのための中央ルータ（４０１）に接触するプロビジョニングプロセスを行うことを介して、ユーザのネットワークアドレス変換（NAT）ルータ上の、ユーザがサービスとして利用可能であることを希望する装置に電話番号が割り当てられる。本実施形態において装置は、電話番号で直接的にアドレスが指定され、該電話番号は装置に関連付けられ、その後、サービスのための中央ルータ（４０１）は、装置の電話番号に向けられたあらゆるモバイルメッセージングの送達を媒介する。プロビジョニングプロセスは、サービスのための中央ルータ（４０１）上のテーブルに、レコードを挿入する、又はレコードを更新する。レコードは、プロビジョニングプロセスにより割り当てられた電話番号を備えるフィールド、装置のIPアドレス及び装置のMACアドレスを備える。プロビジョニングプロセスはさらに、SMS／MMSアグリゲータで電話番号を登録し、これにより、電話番号に対するメッセージは、直接的にサービスのための中央ルータへと向けられる。その後、ユーザは、仮想の電話番号を、携帯電話（２０１）を有する他者に提供することで、他者はSMS／MMSメッセージを装置へと送信することが可能である。代替的に、又は追加的に、ユーザは、装置の番号を、フェースブックのようなソーシャルネットワーキングアプリケーションに関連付けられたプロファイルコンタクトリストに加え、他者が、ユーザの許可により確認し、メッセージ送信のために情報を使用することが可能である。
【００３８】
本明細書に記載されるシステムの様々な実施形態において、装置のIPアドレスは動的に割り当てられ、仮想IPアドレス又は装置名又は対応するパスワードを有するユーザ識別が、中央ルータ登録テーブル上で、装置の電話番号に関連付けられる。仮想IPアドレス又は装置名にアドレス指定されたメッセージは、ローカルルーターのレベルで、動的に割り当てられたIPアドレスに解読される。本明細書に記載されるシステムの代替的な実施形態において、装置のIPアドレスは、静的に割り当てられ、中央ルータ上で電話番号に関連付けられたIPアドレスは、装置のIPアドレスである。システムのさらなる実施形態は、動的に割り当てられたIPアドレスが付された装置と、静的に割り当てられたIPアドレスが付された装置を備える。
【００３９】
本明細書に提供されるシステムの実施形態において、インテリジェントサービスプロバイダSMS/MMSルーティングシステムは、グループチャットのために携帯電話からテレビへのSMS送達から開始し、複数の装置から複数の装置へのSMS/MMS送達を提供するようになり、そして、１対１及び１対多くのSMSユーザ経験を、真の共有グループのSMS経験へと変化させた。様々な実施形態において、システム及び方法は、携帯電話、携帯機器、パーソナルコンピュータ、ゲームコンソール及びDECT電話の間で共有するリアルタイムSMSチャット及びメディア（例えば、画像及びビデオ）を提供する。システムは、ニュートラルな装置であり、携帯電話、携帯機器、ゲームコンソール、DECT電話及びパーソナルコンピュータは、SMS及びMMSメッセージの送受信の両方を行うことが可能である。例えば、ユーザの電話装置に限定される上述のT-Mobile@HomeシステムのT-mobileの従来の電話での装置間インターフェースは、実施形態のシステムで実行するIntegra5 MediaFriends（登録商標）グループチャットアプリケーションに加わっていて、該インターフェースにより、ユーザは、PCと携帯電話ユーザ間、PCとPCユーザ間、ゲームコンソールとPC間、携帯機器とPC間、DECT電話とDECT電話ユーザ間、及び上述のユーザのあらゆる組み合わせの間におけるSMSメッセージの送受信が可能である。ユーザは、リアルタイムのSMSチャットの間に、携帯電話とPCとの間の写真を送信する、又は、T-Mobile電話の装置間のインターフェースを用いて、写真をFacebookに送信し、該インターフェースは、実施形態のシステムで実行するIntegra5 Media Friend（登録商標）PhotoSharingアプリケーションに加わっている装置間のインターフェースである。ユーザは、実施形態のシステムを実行することで、携帯装置から友人のPCへとMMSファイルを送信し、T-Mobile及びMediaFriends（登録商標）MMSからPCアプリケーションへのリアルタイムSMSチャットセッションに参加する。
【００４０】
本明細書に提供される方法及びシステムの特定の実施形態において、ユーザは、ユーザのソーシャルネットワーキングソフトウェアプロファイルへのサービスアクセスを与える。例えば、ユーザは、ユーザのFaceBook（登録商標）プロファイルを開くためのシステムパーミッションを与え、プロファイルに含まれる受信者のアドレスのリストへメッセージを送信する。ユーザは、フェースブックコネクトを用いてMediaFriends（登録商標）フェースブックアプリケーションを用いて、その後、MediaFriends（登録商標）フェースブックアプリケーションは、フェースブックソーシャルメディアの集合の関係を組み込み、システム及び方法で、フェースブックの同一性、認証、グループ及び「follow-me」プライバシーの特徴を用いることが可能である。従って、ユーザはさらに、MediaFriends（登録商標）フェースブックアプリケーションを用いて、携帯電話会社のファミリープランプログラムを活用する。
【００４１】
図４に示されるDECT電話及びパーソナルコンピュータ上でテキストメッセージを受信するシステムの例示的実施形態は、仮想電話番号（789）624-1342を有する携帯電話（２０１）上でユーザのテキストメッセージのタイピング、及び仮想電話番号（789）555-1212へのメッセージの送信を含む。メッセージは、セルラープロバイダ（２０４）を介してSMS/MMSアグリゲータ（３０１）へと進む。SMS/MMSアグリゲータ（３０１）は(789)555-1212を、i5SMSルータ（４０１）へとルーティングする。i5SMSルータ（４０１）は、(789)555-1212をi5CSPインスタンス（４０２）にルーティングする。i5CSPインスタンス（４０２）は、(789)555-1212をホームメディアサーバ（２０８）にルーティングし、DECT電話（４０４）又はパーソナルコンピュータ（４０５）に表示させるために、ホームIPネットワーク（４０３）を介してルーティングする。
【００４２】
本明細書に記載されるシステム、即ち多機能装置MediaFriends（登録商標）チャットフローのもう１つ別の例示的な実施形態において、加入者Ａは、携帯電話キーパッドでタイプし、SMSメッセージを加入者Ｂ、加入者Ｃ及び加入者Ｄに送信する。各加入者の電話番号情報を有するSMSメッセージは、携帯電話ネットワーク、例えばT-Mobileへと送信される。セルラーネットワークから、メッセージがSMS/MMSアグリゲータへとルーティングされる。加入者の携帯電話番号は、各加入者をセットアップするプロビジョニングプロセスの間、アグリゲータを用いてあらかじめ登録され、アグリゲータは、メッセージを、インテグラ5 SMSルータへとメッセージをルーティングする。パスワード、IPアドレス及びMACアドレスに対応する、ユーザの同一性を有する電話番号は、加入者のプロビジョニングプロセスの間、インテグラ5中央ルータを用いて登録され、中央ルータは、加入者Ａ及び加入者Ｂのためのメッセージを、仮想の電話番号781 555-5555の有するインテグラ5 CSPルータへと、ルーティングし、加入者Ｃ及び加入者Ｄのためのメッセージを、仮想の電話番号212 555-5555の有するインテグラ5 CSPルータへと、ルーティングする。２つのインテグラ5 CSPルータは、加入者Ａ、加入者Ｂ、加入者Ｃ及び加入者Ｄのためのメッセージを、仮想の携帯電話781-934-4490、仮想のDECT電話781-685-9932、仮想の携帯電話212-768-2413及び仮想のパーソナルコンピュータＤ＿ユーザIDへとそれぞれルーティングする。
【００４３】
方法の実施形態はさらに、複数のメッセージフォーマットを複数の装置から及びへと送信及び受信すること、及びインスタントメッセージングセッションにおいて送信した又は受信したメッセージを表示することにより、メッセージを送信及び受信する工程及び、インスタントメッセージングセッションにおいてメッセージを表示する工程を備える。例えば、方法は、統合メッセージサーバがメッセージを複数の装置及び複数の種類の装置から及びへと送達するとともに受信する工程と、メッセージフォーマットを、SMS、MMS、インスタントメッセージ、インスタントメッセージのための一般的プロファイル（CPIM）、APEX、インスタントメッセージングエクスチェンジプロトコル、プレゼンスとインスタントメッセージングプロトコル、ボイス オーバーインターネット プロトコル、XMPP及びインスタントメッセージング及びプレゼンスレバレージングエクステンションのためのSIP（SIMPLE）などといったフォーマットから及びへと、変換する工程を含む。
【００４４】
図５は、システムの実施形態を示し、該システムにおいて、複数のユーザが複数の装置及び複数の種類の装置からインスタントメッセージングセッションに加わる。スクリーンの左側のウインドウ（５０１）は、チャット活動、すなわち「Find Friends（友達を探す）」、「Groups（グループ）」、「Invitations（招待）」、「MediaFriends Chat Setting（MediaFriendsチャット設定）」及び「My Chat（自分のチャット）」のメニューオプションをリストする。図５は、「My Chat（自分のチャット）」のスクリーンの表示である。スクリーン（５０２）の中央ウィンドウは、チャット又はインスタントメッセージセッションの対話を、エントリの時系列で表示する。各エントリの第１部分は、参加者を識別する。例えば、「John says（ジョンは言います）」は、参加者を識別し、ジョンの発言内容が、テキストブロックに続く。任意で、参加者は、グラフィカルな内容を、自らのエントリの最後に加えることができる。例えば、笑顔アイコンをエントリの最後に加える。これらのアイコンの種類は、一般的にエモーションと呼ばれる。スクリーン（５０３）の右側のウィンドウは、アイコンでＩＭセッションの参加者をリストし、各名前の右側は、参加者の使用する種類の装置を示す。例えば、ジョンの名前の隣の電話アイコンは、ジョンがDECT電話で参加していることを示し、一方、トムの名前の隣のコンピュータモニタのアイコンは、トムがパーソナルコンピュータを用いて参加していることを示す。テレビアイコンは、アリスの名前の隣にあり、アリスが、テレビを用いてIMセッションに参加していることを示し、マイクの名前の隣の携帯電話アイコンは、マイクが携帯電話を用いて参加していることを示す。
【００４５】
図５に示されるIMセッションはさらに、本発明のさまざまな実施形態の方法及びシステムを示す。例えば、図５に表示されるスクリーンが、パーソナルコンピュータスクリーンである場合、携帯電話（２０１）を用いてマイクにより送信されたメッセージはセルラープロバイダネットワーク（２０４）を介して、SMS/MMSアグリゲータ（３０１）へと進む。SMS/MMSアグリゲータ（３０１）はその後、メッセージを、i5SMSルータ（４０１）へとルーティングする。i5SMSルータ（４０１）はその後、メッセージを統合メッセージングサーバへとルーティングし、該統合メッセージングサーバは、SMS/MMSフォーマットのテキストメッセージを、例えばインスタントメッセージングの一般的プロファイルなどといったインスタントメッセージングフォーマットに変換する。該インスタントメッセージングの一般的プロファイルは、図５に示されるパーソナルコンピュータにインストールされたインスタントメッセージングソフトウェアに適している。統合メッセージングサーバはその後、インスタントメッセージングセッションにおいて表示するために、パーソナルコンピュータにメッセージを送信する。図５におけるIMセッションからマイクの携帯電話へのメッセージは、リバースパスを行い、この場合、統合メッセージングサーバは、メッセージをSMS/MMSフォーマットに変換し、その後マイクの携帯電話へと送達するためにSMS/MMSアグリゲータ（３０１）へと送信する。
【００４６】
図６は、隣接して分離されたチャットセッションを有するシステムの実施形態を示す。ユーザの友達（６０１）のリストは、図６の左側に示される。ユーザは、キーボード、マウス又は他のインターフェース装置を用いて、（６０１）にリストされる１又はそれより多い友達を反転表示し、選択された友達とチャットセッションを開始するために選択を入力する。ユーザ又は他のユーザがテキストメッセージエントリウインドウ（６０４）に入力し、「送信」ボタン（６０５）を選択すると、チャットセッションウインドウ（６０２）がディスプレイに開き、ユーザへの及びからのテキストメッセージ（６０３）がチャットセッションウインドウ（６０２）において表示される。
【００４７】
今、本発明は完全に記載され、以下の特許請求の範囲により具体化される。当業者は、本発明をさらに具現化するために使用されるハードウェア、ソフトウェア及びオペレーティングシステムを認識する。従って、様々な具体的な実施形態は上述されるが、本発明は本記載及び特許請求の範囲において、変更形態及び同等物に及ぶことが意図される。
【図１】
2011530875.tif 000003
【図２】
2011530875.tif 000004
【図３】
2011530875.tif 000005
【図４】
2011530875.tif 000006
【図５】
2011530875.tif 000007
【図６】
2011530875.tif 000008
【国際調査報告】
2011530875.tif 000009